【事件の表示】
　特願２００２−　９５４７８「デジタルカメラ」拒絶査定不服審判事件〔平成１５年１０月１７日出願公開、特開２００３−２９９１１２〕について、次のとおり審決する。
【結　論】
　本件審判の請求は、成り立たない。
【理　由】
１　手続の経緯、本願発明
　本願は、平成１４年３月２９日の出願であって、平成１９年２月１６日付けで拒絶の理由が通知され、これに対し、平成１９年４月２３日付けで意見書が提出されると同時に手続補正がなされたが、平成１９年９月１９日付け（発送日同年９月２５日）で拒絶査定がなされたものである。
　本件は本願についてなされた上記拒絶査定を不服として平成１９年１０月２５日付けで請求された拒絶査定不服審判である。
　本願の請求項１及び請求項２に係る発明は、平成１９年４月２３日付け手続補正書により補正された明細書及び図面の記載からみて、その特許請求の範囲の請求項１及び請求項２に記載された事項により特定されるとおりのものであるところ、請求項２に係る発明（以下「本願発明」という。）は、次のとおりのものである。
　　
「予め定められた複数の色の画素を含む画素配列の画素群を備え、各画素により被写体像に対応する光を受光して被写体像を撮像し、且つ所定方向に並んだ同色の複数の画素を、それぞれの色毎に、混合画素の中心位置が混合した複数の画素間の距離の中心となる位置になるように混合して、最高解像度よりも低い解像度で撮像可能な撮像素子と、
　前記撮像素子により前記最高解像度よりも低い解像度で撮像した場合に、前記混合によって混合した複数の画素間の距離の中心となる位置に変移した各色の混合画素の中心位置を少なくとも１列単位で均等になるようにかつ、前記各色の画素中心の配置が、前記予め定められた複数の色の画素を含む画素配列と一致するように前記撮像素子の撮像結果を補正する補正手段と、
　を有することを特徴とするデジタルカメラ。」
　　
２　引用文献の記載
　原査定の拒絶の理由に引用された特開２００１−２９８７４８号公報（以下「引用文献１」という。）には、図面と共に以下の記載がある。
　　
「　　【０００１】
　　【発明の属する技術分野】
　本発明は、固体撮像装置およびその駆動方法並びにカメラシステムに関し、特にＭＯＳ型イメージセンサに代表されるＸＹアドレス型固体撮像素子を用いた固体撮像装置およびその駆動方法、並びにＸＹアドレス型固体撮像素子を撮像デバイスとして用いたデジタルスチルカメラなどのカメラシステムに関する。」
　　
（目的）
「　　【００１２】
　本発明は、上記課題に鑑みてなされたものであり、その目的とするところは、画素情報の間引き処理を行う場合に後段の信号処理系に負荷をかけずに、消費電力の低減を可能とした固体撮像装置およびその駆動方法並びにカメラシステムを提供することにある。」
　　
「　　【００１５】
　　【発明の実施の形態】
　以下、本発明の実施の形態について図面を参照して詳細に説明する。図１は、本発明が適用されるカメラシステムの構成の一例を示すブロック図である。
　　　【００１６】
　図１において、本システムでは、撮像デバイスとして、ＸＹアドレス型固体撮像素子１１、例えばＭＯＳ型イメージセンサが用いられている。この固体撮像素子１１の撮像面上には、結像レンズなどを含む光学系（図示せず）を通して被写体からの入射光（像光）が結像される。また、本システムには、システム動作の基準となるクロックが入力される。
　　　【００１７】
　このクロックは、本システムの動作モード（全画素読み出しモード／間引き読み出しモード）を選択するモード選択信号と共に分周回路１２に入力される。モード選択信号は、動作モード設定部１３から出力される。分周回路１２は、入力されたクロックの周波数をモード選択信号に応じて変換し、タイミング発生器１４および後述する固体撮像素子１１の信号処理系に供給される。
　　　【００１８】
　タイミング発生器１４は、分周回路１２から入力される動作モードに応じた周波数のクロックに基づいて、ＸＹアドレス型固体撮像素子１１の駆動に必要な各種の駆動パルスを発生し、これら駆動パルスを固体撮像素子１１に供給する。固体撮像素子１１の後段には、ＡＧＣ（自動利得制御）回路１５、ＡＤ（アナログ−デジタル）コンバータ１６およびカメラ信号処理回路１７が設けられている。これらの回路１５，１６，１７には、分周回路１２から動作モードに応じた周波数のクロックが供給される。
　　　【００１９】
　ＡＧＣ回路１５は、固体撮像素子１１の出力信号に対してその信号レベルを一定するためのＡＧＣ処理を行う。ＡＤコンバータ１６は、このＡＧＣ回路１５の出力信号をＡＤ変換してカメラ信号処理回路１７に供給する。これにより、カメラ信号処理回路１７は、デジタル信号処理（ＤＳＰ）構成となっている。このカメラ信号処理回路１７では、入力される撮像データ（映像データ）から輝度信号および色差信号を生成するカメラ信号処理や、自動露光、オートフォーカス、オートホワイトバランス等の検出処理などの信号処理が行われる。
　　　【００２０】
　図２は、ＭＯＳ型イメージセンサの一例を示す概略構成図である。本ＭＯＳ型イメージセンサは、画素部２１、垂直走査系２２および水平走査系２３を有する構成となっている。」
　　
（第１例）
「　　【００３２】
　ところで、カラー対応のカメラシステムの場合は、画素部２１にはカラーフィルタが画素単位で例えばオンチップにて設けられることになる。ここで、図４に示すように、カラーフィルタ２７として、垂直２×水平２（２行２列）を単位とし、その繰り返しの原色カラーコーティングを持つフィルタを搭載したＭＯＳ型イメージセンサにおいて、画素情報を間引いて読み出す間引き読み出し処理を実現する場合の動作について説明する。
　　　【００３３】
　このように、垂直２×水平２繰り返しの原色カラーコーティングを持つカラーフィルタ２７を用いた場合において、間引き読み出しの第１例として、図４に斜線で示すように、２行／２列ずつスキップしながら、つまり３行／３列ごとに１画素ずつ画素信号を読み出すようにする。
　　　【００３４】
　この間引き読み出しを実現するために、図１の分周回路１２は、間引き読み出しモードを選択するモード選択信号が動作モード設定部１３から与えられることにより、入力されるクロックの周波数を１／９に分周する。この間引き読み出し時のタイミングチャートを図５に示す。」
　　
「　　【００３９】
　次に、図５のタイミングチャートには示していないが、垂直選択パルスＶ１に代わってＶデコーダ２２１から高電位の垂直選択パルスＶ４が出力され、垂直選択線２５-4に印加されると４行目の画素２４41〜２４46が選択される。そして、１行目と同様にして列選択の動作を２列おきに繰り返すことにより、２行／２列ずつスキップしながら１画素ずつ画素信号が読み出されることになる。
　　　【００４０】
　上述した第１例に係る間引き読み出しによれば、次のような利点が得られる。すなわち、画素信号の順序、空間的な位置関係共に全画素読み出しと同じまま、画素情報量を１／９に圧縮できる。しかも、後段の信号処理系のシーケンスは全く変更しなくても良いため、信号処理系に負荷をかけることもない。また、システムのクロック周波数が１／９になるので、消費電力も１／９に低減できる。さらに、１秒間に出力できる画像の枚数、即ちフレームレートを一定にできる。」
　　
（第２例）
「　　【００４１】
　続いて、第１例と同様に、垂直２×水平２繰り返しのカラーコーディングを持つカラーフィルタを用いた場合を前提とした間引き読み出しの第２例、第３例について述べる。
　　　【００４２】
　先ず、第２例に係る間引き読み出しでは、図６に斜線で示すように、垂直２×水平２を単位とし、その単位を行方向にも列方向にも１単位ずつ飛ばしながら順に画素信号を読み出す。また、この間引き読み出しを実現するために、図１の分周回路１２ではクロック周波数を１／４に分周する。
　　　【００４３】
　この第２例に係る間引き読み出しによれば、次のような利点が得られる。すなわち、画素信号の順序を全画素読み出しと同じまま、画素情報量を１／４に圧縮できる。しかも、後段の信号処理系のシーケンスは、色の空間的な位置関係が変化することの対応のみで良いため、信号処理系の負荷が少なくて済む。また、システムのクロック周波数が１／４になるので消費電力も１／４に低減でき、さらにフレームレートを一定にできる。」
　　
（第３例）
「　　【００４４】
　次に、第３例に係る間引き読み出しでは、垂直２×水平２の単位をさらに２×２の４個ずつまとめ、その単位中における左下の画素同士の加算信号、右下の画素同士の加算信号、左上の画素同士の加算信号、右上の画素同士の加算信号を、図７に矢印で示すように、走査しながら読み出す。また、この間引き読み出しを実現するために、図１の分周回路１２ではクロック周波数を１／４に分周する。
　　　【００４５】
　この第３例に係る間引き読み出しによれば、次のような利点が得られる。すなわち、画素信号の順序を全画素読み出しと同じまま、画素情報量を１／４に圧縮できるとともに、加算読み出しによって感度が４倍になる。しかも、後段の信号処理系のシーケンスは、色の重心の空間的な位置関係が変化することの対応のみで良いため、信号処理系の負荷が少なくて済む。なお、色の重心の空間的な位置関係は、第２例に係る間引き読み出しの場合と同じである。また、システムのクロック周波数が１／４になるので消費電力も１／４に低減でき、さらにフレームレートを一定にできる。」
　　
（第４例）
「　　【００４６】
　図８は、同一列では同一色で、行方向に３色の繰り返しの原色カラーコーディングを示す図である。ここで、このカラーコーティングを持つカラーフィルタ２７´を用いた場合の間引き読み出しについて、第４例として説明する。
　　　【００４７】
　この第４例に係る間引き読み出しでは、図８に斜線で示すように、行方向にも列方向にも１画素ずつ飛ばしながら１画素ずつ画素信号を読み出す。また、この間引き読み出しを実現するために、図１の分周回路１２ではクロック周波数を１／４に分周する。
　　　【００４８】
　この第４例に係る間引き読み出しによれば、次のような利点が得られる。すなわち、画素信号の順序、位置関係共に２つの色の定義を入れ替える以外は全画素読み出しと同じで、画素情報量を１／４に圧縮できる。しかも、後段の信号処理系のシーケンスは、２つの色の定義を入れ替えるだけで良いため、信号処理系の負荷が少なくて済む。また、システムのクロック周波数が１／４になるので消費電力も１／４に低減でき、さらにフレームレートを一定にできる。」
　　
「　　【００５１】
　　【発明の効果】
　以上説明したように、本発明によれば、ＸＹアドレス型固体撮像素子に対して間引き読み出しが指定されたとき、システムのクロック周波数を変換し、その変換されたクロック周波数に基づいて、カラーフィルタのカラーコーディングに対応した順番で画素を選択して画素信号を読み出すようにしたことにより、画素から画素情報を読み出す段階で間引き処理を行えるので、画素情報の順序、空間的な位置関係共に全画素読み出しと同じまま、信号処理系に負荷をかけることなく画素情報量を圧縮することができ、しかもシステムのクロック周波数の変換に伴って消費電力を低減できるとともに、動作モードを変えてもフレームレートを一定にできる。」
　　
３　引用発明
　引用文献１の【発明の実施形態】に記載された第３例の間引き読み出しをするカメラシステムを引用文献１に記載された発明として認定する。
　　
（１）デジタルカメラ
　第３例の間引き読み出しをするカメラシステムは、「ＸＹアドレス型固体撮像素子を撮像デバイスとして用いたデジタルスチルカメラなどのカメラシステムに関する」（段落【０００１】）ものであるから、デジタルカメラといえる。
　　
（２）撮像素子
　「撮像デバイスとして、ＸＹアドレス型固体撮像素子１１、例えばＭＯＳ型イメージセンサが用いられて」（段落【００１６】）
　「この固体撮像素子１１の撮像面上には、結像レンズなどを含む光学系（図示せず）を通して被写体からの入射光（像光）が結像され」（段落【００１６】）
　「本ＭＯＳ型イメージセンサは、画素部２１、垂直走査系２２および水平走査系２３を有する構成となっている。」（段落【００２０】）
　「画素部２１にはカラーフィルタが画素単位で例えばオンチップにて設けられることになる。ここで、図４に示すように、カラーフィルタ２７として、垂直２×水平２（２行２列）を単位とし、その繰り返しの原色カラーコーティングを持つフィルタを搭載したＭＯＳ型イメージセンサにおいて、・・・」（段落【００３２】）
の記載及び図４から、
　固体撮像素子は、垂直２×水平２（２行２列：左上Ｇ、右上Ｒ、左下Ｂ、右下Ｇ）を単位とし、その繰り返しの原色カラーコーティングを持つフィルタを搭載しており、被写体からの入射光（像光）が結像される。
　　
（３）システムの構成
　「本システムでは、撮像デバイスとして、ＸＹアドレス型固体撮像素子１１・・・が用いられて」、「本システムには、システム動作の基準となるクロックが入力される。」（段落【００１６】）
　「このクロックは、本システムの動作モード（全画素読み出しモード／間引き読み出しモード）を選択するモード選択信号と共に分周回路１２に入力され」、「分周回路１２は、入力されたクロックの周波数をモード選択信号に応じて変換し、タイミング発生器１４および後述する固体撮像素子１１の信号処理系に供給される。」（段落【００１７】）
　「タイミング発生器１４は、分周回路１２から入力される動作モードに応じた周波数のクロックに基づいて、ＸＹアドレス型固体撮像素子１１の駆動に必要な各種の駆動パルスを発生し、これら駆動パルスを固体撮像素子１１に供給する。固体撮像素子１１の後段には、ＡＧＣ（自動利得制御）回路１５、ＡＤ（アナログ−デジタル）コンバータ１６およびカメラ信号処理回路１７が設けられている。」（段落【００１８】）
　ＡＧＣ（自動利得制御）回路１５、ＡＤ（アナログ−デジタル）コンバータ１６およびカメラ信号処理回路１７は、信号処理系である。
　以上より、デジタルカメラといえるカメラシステムは、
　撮像デバイスとして、ＸＹアドレス型固体撮像素子１１が用いられて、
　固体撮像素子１１の後段には、信号処理系が設けられ、
　全画素読み出し又は間引き読み出しを行うものである。
　　
（４）間引き読み出し（第３例）
　「間引き読み出しでは、垂直２×水平２の単位をさらに２×２の４個ずつまとめ、その単位中における左下の画素同士の加算信号、右下の画素同士の加算信号、左上の画素同士の加算信号、右上の画素同士の加算信号を、図７に矢印で示すように、走査しながら読み出す。」【００４４】
　　
（５）色の重心の空間的な位置関係
　「後段の信号処理系のシーケンスは、色の重心の空間的な位置関係が変化することの対応のみで良いため、信号処理系の負荷が少なくて済む。」（段落【００４５】）の記載から、後段の信号処理系は、色の重心の空間的な位置関係が変化することの対応をすることが開示されているといえる。
　　
（６）引用文献１に記載された発明
　以上より、引用文献１には、次の発明（以下「引用発明」という。）が記載されている。
　　
「垂直２×水平２（２行２列：左上Ｇ、右上Ｒ、左下Ｂ、右下Ｇ）を単位とし、その繰り返しの原色カラーコーティングを持つフィルタを搭載し、被写体からの入射光（像光）が結像されるＸＹアドレス型固体撮像素子１１が用いられて、
　固体撮像素子１１の後段には、信号処理系が設けられ、
　全画素読み出し又は間引き読み出しを行い、
　間引き読み出しでは、垂直２×水平２の単位をさらに２×２の４個ずつまとめ、その単位中における左下の画素同士の加算信号、右下の画素同士の加算信号、左上の画素同士の加算信号、右上の画素同士の加算信号を、走査しながら読み出し、後段の信号処理系は、色の重心の空間的な位置関係が変化することの対応をするものである
　デジタルカメラ。」
　　
４　対比
　本願発明と引用発明とを対比する。
　　
（０）本願発明の「所定方向に並んだ同色の複数の画素を・・・混合して」、「少なくとも１列単位で均等になるように・・・補正する」の解釈
　本願明細書の段落【００９２】には、
「また、上記第１〜第４の実施の形態では、水平方向に並んだ画素を混合する場合を例に説明したが、本発明は、垂直方向に並んだ画素を混合した場合や、水平及び垂直方向の両方向に混合した場合についても同様に適用可能である。」
と記載されている。
　また、本願の請求項２（本願発明）に「水平及び垂直方向の両方向に混合した場合」を除く旨の記載がないことからすると、本願発明は、「水平方向に並んだ画素を混合する場合」、「垂直方向に並んだ画素を混合した場合」だけでなく、「水平及び垂直方向の両方向に混合した場合」を含むものと理解できる。
　そうすると、本願発明の「所定方向に並んだ同色の複数の画素を・・・混合して」とは、水平方向または垂直方向のいずれか一つの方向だけでなく、水平及び垂直の両方向に混合することを含むものと解釈できる。また、本願発明の「少なくとも１列単位で均等になるように・・・補正する」とは、水平及び垂直の両方向に混合したものにおいて、混合後の画素の配列が、水平方向の１列で見た際においても、垂直方向の１列で見た際においても均等になるように補正することを含むものと解釈できる。
　　
（１）撮像素子
　引用発明の「ＸＹアドレス型固体撮像素子１１」は「垂直２×水平２（２行２列：左上Ｇ、右上Ｒ、左下Ｂ、右下Ｇ）を単位とし、その繰り返しの原色カラーコーティングを持つフィルタを搭載」しているものであり、「被写体からの入射光（像光）が結像される」から、「予め定められた複数の色の画素を含む画素配列の画素群を備え、各画素により被写体像に対応する光を受光して被写体像を撮像」する撮像素子といえる。
　引用発明は、「間引き読み出しでは、垂直２×水平２の単位をさらに２×２の４個ずつまとめ、その単位中における左下の画素同士の加算信号、右下の画素同士の加算信号、左上の画素同士の加算信号、右上の画素同士の加算信号を、走査しながら読み出」すもので、上記「その単位中における左下の画素同士」（Ｂ）、上記「右下の画素同士」（Ｇ）、上記「左上の画素同士」（Ｇ）、上記「右上の画素同士」（Ｒ）を加算するものである。一方、本願発明の「所定方向に並んだ同色の複数の画素を・・・混合して」は、上記（０）のとおり、水平及び垂直の両方向に混合することも含むものであるから、引用発明も、「所定方向に並んだ同色の複数の画素をそれぞれの色毎に」「混合」するといえる。
　画素同士の「加算」をすることにより、「混合画素の中心位置が混合した複数の画素間の距離の中心となる位置になる」ことは明らかである。
　引用発明の「間引き読み出し」は画素を加算読み出しするものであるから「全画素読み出し」より、低い解像度といえ、また、「全画素読み出し」は最高解像度といえる。
　以上より、引用発明の「ＸＹアドレス型固体撮像素子１１」は
「予め定められた複数の色の画素を含む画素配列の画素群を備え、各画素により被写体像に対応する光を受光して被写体像を撮像し、且つ所定方向に並んだ同色の複数の画素を、それぞれの色毎に、混合画素の中心位置が混合した複数の画素間の距離の中心となる位置になるように混合して、最高解像度よりも低い解像度で撮像可能な撮像素子」
といえる。
　　
（２）補正手段
　引用発明の「後段の信号処理系」は、「間引き読み出し」において「走査しながら読み出し」た「加算信号」の「色の重心の空間的な位置関係が変化することの対応をする」ものであり、
　「間引き読み出し」は、「前記撮像素子により前記最高解像度よりも低い解像度で撮像した場合」といえる。
　ここで、引用発明の「色の重心の空間的な位置関係が変化することの対応をする」ことについて検討する。
　引用文献１には、発明の実施の形態として、第１例から第４例の間引き読み出しが記載されている。上記３のとおり、引用発明は第３例の間引き読み出しをするカメラシステムである。
　第１例は、図４のような垂直２×水平２（２行２列：左上Ｇ、右上Ｒ、左下Ｂ、右下Ｇ）を単位とし、その繰り返しの原色カラーコーティングを持つフィルタを有し（段落【００３２】）、２行／２列ずつスキップしながら、つまり３行／３列ごとに１画素ずつ画素信号を読み出す（段落【００３３】）もので、画素信号の順序、空間的な位置関係共に全画素読み出しと同じまま、画素情報量を１／９に圧縮でき、後段の信号処理系のシーケンスは全く変更しなくても良い（段落【００４０】）。
　第２例は、第１例と同様のカラーフィルタで（段落【００４１】）、図６に斜線で示すように、垂直２×水平２を単位とし、その単位を行方向にも列方向にも１単位ずつ飛ばしながら順に画素信号を読み出す（段落【００４２】）もので、画素信号の順序を全画素読み出しと同じまま、画素情報量を１／４に圧縮でき、後段の信号処理系のシーケンスは、色の空間的な位置関係が変化することの対応のみで良いため、信号処理系の負荷が少なくて済む（段落【００４３】）。
　第３例（引用発明）は、第１例と同様のカラーフィルタで（図７）、垂直２×水平２の単位をさらに２×２の４個ずつまとめ、その単位中における左下の画素同士の加算信号、右下の画素同士の加算信号、左上の画素同士の加算信号、右上の画素同士の加算信号を、図７に矢印で示すように、走査しながら読み出す（段落【００４４】）もので、画素信号の順序を全画素読み出しと同じまま、画素情報量を１／４に圧縮でき、後段の信号処理系のシーケンスは、色の重心の空間的な位置関係が変化することの対応のみで良いため、信号処理系の負荷が少なくて済む（段落【００４５】）。
　第４例は、図８のような同一列では同一色で、行方向に３色の繰り返しの原色カラーコーディングをを持つカラーフィルタを有し（段落【００４６】）、行方向にも列方向にも１画素ずつ飛ばしながら１画素ずつ画素信号を読み出す（段落【００４７】）もので、画素信号の順序、位置関係共に２つの色の定義を入れ替える以外は全画素読み出しと同じで、画素情報量を１／４に圧縮でき、後段の信号処理系のシーケンスは、２つの色の定義を入れ替えるだけで良いため、信号処理系の負荷が少なくて済む（段落【００４８】）。
　第１例の間引き読み出しは、画素信号の順序、空間的な位置関係共に全画素読み出しと同じままであり、後段の信号処理系のシーケンスは全く変更しなくても良いもので、第４の間引き読み出しは、画素信号の順序、位置関係共に２つの色の定義を入れ替える以外は全画素読み出しと同じで、後段の信号処理系のシーケンスは、２つの色の定義を入れ替えるだけで良いものであり、空間的な位置関係が変化するものではなく、空間的な位置関係が変化することの対応をしなくてよいものである。
　一方、第３例である引用発明は、色の重心の空間的な位置関係が変化することの対応をするものであり、第１例や第４例は空間的な位置関係が変化するものではないことを考慮すると、「色の重心の空間的な位置関係が変化することの対応をする」とは、後段の信号処理系で、撮像素子による撮像の結果、色の重心の空間的位置関係が変化してしまったことを、第１例や第４例のように色の重心の空間的位置関係が変化しなかったようにする信号処理をすることと理解される。その信号処理は「補正」処理と言い得るから、「後段の信号処理系」は、色の重心の空間的位置関係を補正するための補正手段といえる。
　そして、第３例においては、水平方向及び垂直方向に加算しているから、その重心位置も水平方向及び垂直方向に変化し、その補正は、水平、垂直の両方について補正処理を行うものである。
　画素同士の「加算」をすることにより、「混合画素の中心位置が混合した複数の画素間の距離の中心となる位置になる」ことは明らかであるから、「色の重心の空間的な位置関係が変化することの対応をする」ことは、「前記混合によって混合した複数の画素間の距離の中心となる位置に変移した各色の混合画素の中心位置を補正する」ことといえる。
　したがって、引用発明の「後段の信号処理系」は、
「前記撮像素子により前記最高解像度よりも低い解像度で撮像した場合に、前記混合によって混合した複数の画素間の距離の中心となる位置に変移した各色の混合画素の中心位置を補正する補正手段」
を含んでいるものということもできる。
　もっとも、本願発明においては、「補正手段」が、各色の混合画素の中心位置を「少なくとも１列単位で均等になるようにかつ、前記各色の画素中心の配置が、前記予め定められた複数の色の画素を含む画素配列と一致するように前記撮像素子の撮像結果を」補正するのに対し、引用発明がそのような補正をするとはしていない点で相違する。
　　
（３）デジタルカメラ
　引用発明は、「デジタルカメラ」であり、本願発明と相違しない。
　　
５　一致点、相違点
　以上より、一致点、相違点は次のとおりである。
　　
（一致点）
　予め定められた複数の色の画素を含む画素配列の画素群を備え、各画素により被写体像に対応する光を受光して被写体像を撮像し、且つ所定方向に並んだ同色の複数の画素を、それぞれの色毎に、混合画素の中心位置が混合した複数の画素間の距離の中心となる位置になるように混合して、最高解像度よりも低い解像度で撮像可能な撮像素子と、
　前記撮像素子により前記最高解像度よりも低い解像度で撮像した場合に、前記混合によって混合した複数の画素間の距離の中心となる位置に変移した各色の混合画素の中心位置を補正する補正手段と、
　を有することを特徴とするデジタルカメラ。
　　
（相違点）
　本願発明の「補正手段」が各色の混合画素の中心位置を「少なくとも１列単位で均等になるようにかつ、前記各色の画素中心の配置が、前記予め定められた複数の色の画素を含む画素配列と一致するように前記撮像素子の撮像結果を」補正するのに対し、引用発明がそのような補正をするとはしていない点。
　　
６　判断
（１）判断
　引用文献１には、引用発明として認定した第３例の他に第１例、第２例及び第４例が記載されている。
　第１例は、
図４に示されているように、「２行／２列ずつスキップしながら、つまり３行／３列ごとに１画素ずつ画素信号を読み出すようにする」（段落【００３３】）もので、「画素信号の順序、空間的な位置関係共に全画素読み出しと同じまま、画素情報量を１／９に圧縮でき」、「しかも、後段の信号処理系のシーケンスは全く変更しなくても良い」（段落【００４０】）ものである。
　第２例は、
図６に示されているように、「垂直２×水平２を単位とし、その単位を行方向にも列方向にも１単位ずつ飛ばしながら順に画素信号を読み出す」（段落【００４２】）もので、「画素信号の順序を全画素読み出しと同じまま、画素情報量を１／４に圧縮でき」、「しかも、後段の信号処理系のシーケンスは、色の空間的な位置関係が変化することの対応のみで良い」（段落【００４３】）ものである。
　第３例は、
図７に示されているように、「垂直２×水平２の単位をさらに２×２の４個ずつまとめ、その単位中における左下の画素同士の加算信号、右下の画素同士の加算信号、左上の画素同士の加算信号、右上の画素同士の加算信号を、・・・走査しながら読み出す」（段落【００４４】）もので、「画素信号の順序を全画素読み出しと同じまま、画素情報量を１／４に圧縮できるとともに、加算読み出しによって感度が４倍にな」り、「しかも、後段の信号処理系のシーケンスは、色の重心の空間的な位置関係が変化することの対応のみで良い」（段落【００４５】）ものであり、「色の重心の空間的な位置関係は、第２例に係る間引き読み出しの場合と同じである。」（段落【００４５】）
　第４例は、
図８に示されているように、「同一列では同一色で、行方向に３色の繰り返しの原色カラーコーディング」「を持つカラーフィルタ２７´を用いた場合の間引き読み出し」（段落【００４６】）であり、「行方向にも列方向にも１画素ずつ飛ばしながら１画素ずつ画素信号を読み出す」（段落【００４７】）もので、「画素信号の順序、位置関係共に２つの色の定義を入れ替える以外は全画素読み出しと同じで、画素情報量を１／４に圧縮でき」、「しかも、後段の信号処理系のシーケンスは、２つの色の定義を入れ替えるだけで良い」（段落【００４８】）ものである。
　　
　一般に、撮像素子の色画素配列は、色画素のサンプリングが均等になされるようにするため均等にされていること、そのために、間引き読み出しや混合読み出しによる色画素のサンプリングは、色画素配列が均等である全画素読み出しと同様に空間的な位置関係が均等にすることが望ましいことは、技術常識である。
　この点は、第１例の記載からも明らかである。
　第１例における読み出された画素情報は、図４に示されるように、画素信号の順序、空間的な位置関係共に全画素読み出しと同じである。そして、第１例は「後段の信号処理系のシーケンスは全く変更しなくても良い」と記載されている。
　第２例〜第４例における読み出しも、画素信号の順序、空間的な位置関係が全画素読み出しと同様にしようとしていると理解できる。
　また、「発明の効果」として、「カラーフィルタのカラーコーディングに対応した順番で画素を選択して画素信号を読み出すようにしたことにより、画素から画素情報を読み出す段階で間引き処理を行えるので、画素情報の順序、空間的な位置関係共に全画素読み出しと同じまま、信号処理系に負荷をかけることなく画素情報量を圧縮することができ」る（段落【００５１】）と記載されている。
　これからみても、間引き読み出しや混合読み出しによる色画素のサンプリングは、色画素配列が均等である全画素読み出しと同様に空間的な位置関係が均等にすることが望ましいことは、技術常識といえる。
　　
　第４例における読み出された画素情報は、図８に示されるように、画素信号の順序、位置関係共に２つの色の定義を入れ替える以外は全画素読み出しと同じである。そして、第４例は「後段の信号処理系のシーケンスは２つの色の定義を入れ替えるだけで良い」と記載されている。第４例では、２つの色の定義を入れ替えるだけで、読み出された画素情報は、第１例（図４）と同様に、画素信号の順序、空間的な位置関係共に全画素読み出しと同じとなると理解できる。
　一方、第２例における読み出された画像情報は、図６に示されるように、画素信号の順序が全画素読み出しと同じであるが、色の空間的な位置関係が同じではない。そして、第２例は「後段の信号処理系のシーケンスは、色の空間的な位置関係が変化することの対応のみで良い」と記載されている。第２例では、色の空間的な位置関係が変化することの対応のみで、読み出された画素情報は、第１例（図４）と同様に、画素信号の順序、空間的な位置関係共に全画素読み出しと同じとなると理解できる。
　第３例における読み出された画像情報は、図７に示されるように、画素信号の順序が全画素読み出しと同じであるが、色の空間的な位置関係が同じではなく、「色の重心の空間的な位置関係は、第２例に係る間引き読み出しの場合と同じである。」そして、第３例は「後段の信号処理系のシーケンスは、色の重心の空間的な位置関係が変化することの対応のみで良い」と記載されている。第３例では、色の重心の空間的な位置関係が変化することの対応のみで、読み出された画素情報は、第１例（図４）と同様に、画素信号の順序、空間的な位置関係共に全画素読み出しと同じとなると理解できる。
　画素を混合することにより生じる重心のずれの補正をするのに、補間を用いることは常套手段である。この点は、例えば、下記の特開２００１−１９７３７１号公報の段落【００３０】【００３１】に記載されている。
　そして、上記４（０）のとおり、「少なくとも１列単位で均等になるように・・・補正する」とは、水平及び垂直の両方向に混合したものにおいて、混合後の画素の配列が、水平方向の１列で見た際においても、垂直方向の１列で見た際においても均等になるように補正することを含むものと解釈できるから、画素信号の順序、空間的な位置関係共に全画素読み出しと同じとなることは、１列単位で画素の位置が均等になるようにかつ予め定められた複数の色の画素を含む配列となっているものといえる。
　　
　そうすると、引用文献１に接した当業者が、「色の重心の空間的な位置関係が変化することの対応をするものである」ものを「少なくとも１列単位で均等になるようにかつ、前記各色の画素中心の配置が、前記予め定められた複数の色の画素を含む画素配列と一致するように前記撮像素子の撮像結果を」補正するようにすることは、容易に想到することができたものである。
　　
　　　　　記（特開２００１−１９７３７１号公報の記載）
「　　【００３０】
　図６に本動作状態におけるＡフィールド、Ｂフィールドにおける混合される画素の組み合わせおよび混合された信号の垂直方向の重心位置を示す。インターレース走査では、Aフィールド、Bフィールドでの走査線の位置は相互に他フィールドの走査線間の中心の位置であるため、これに対応して撮像系での信号の垂直方向のサンプリングはそれぞれのフィールドで１８０度の位相差となる必要が有る。ところが、本実施形態の本動作状態では混合画素数が５画素であるため、図６に示すように、Ａフィールド、Ｂフィールドでの出力信号の重心位置が１８０度の位相差に対して、３６度（＝１／２画素、同一フィールドのライン間距離の１／１０）ずれている。これを補正するには、隣接２ラインの信号から補間によって信号を生成すれば良く、例えば同一フィールドのｎラインの信号をSn、ｎ＋１ラインの信号Sn+1とすると、Sn’＝（Sn×９／１０）＋（Sn+1×１／１０）の演算で得られるSn’はｎラインの信号の重心位置に対して１／１０ライン分ｎ＋１ライン方向に重心位置のずれた信号である。Bフィールドの信号に対して上記演算を行うことによってサンプリングの重心ずれの補正が可能であるが、本実施形態では、Aフィールド、Bフィールドの補間の影響を均一にするために、ｎラインの信号を、Aフィールドでは１／２０ライン分ｎ−１ライン方向に、Ｂフィール
ドでは１／２０ライン分ｎ＋１ライン方向に補正するために、以下の演算を行う。
　　　【００３１】
　Ａフィールド：　Sn’＝（Sn×１９／２０）＋（Sn-1×１／２０）
　Ｂフィールド：　Sn’＝（Sn×１９／２０）＋（Sn+1×１／２０）
　尚、本実施形態では隣接２ラインの信号からの演算によって補間処理を行っているが、更に複数ラインの信号を用いた補間処理を行う事もできる。垂直補間回路８の出力信号は水平補間回路９に入力されるが、本動作状態では水平補間回路では処理は行われず通過するのみである。その後は、動画撮影時と同様に、エンコーダ１２でテレビジョン信号へのエンコード処理を施され、Ｄ／Ａ変換回路１３でアナログ信号に変換されて出力される。以上説明したように、静止画撮影モードでのモニタリング時にも、撮像素子の全画素領域の信号から、テレビジョン信号を生成する事ができる。」
（以上、特開２００１−１９７３７１号公報の記載）
　　
（２）効果等
　以上のように、相違点に係る構成は当業者が容易に想到できたものである。そして、本願発明の構成は、上記のとおり当業者が容易に想到できたものであるところ、本願発明が奏する効果は、その容易想到である構成から当業者が容易に予測し得る範囲内のものであり、同範囲を超える顕著なものでもない。
　したがって、本願発明は、引用文献１に記載された発明に基づいて当業者が容易に発明することができたものである。
　　
７　むすび
　以上のとおり、本願の請求項２に係る発明は、引用文献１に記載された発明に基づいて、当業者が容易に発明できたものであるから、特許法第２９条第２項の規定により特許を受けることができない。
　したがって、残る請求項１に係る発明について検討するまでもなく、本願は拒絶されるべきものである。
　　
　よって、結論のように審決する。